(57)【要約】【課題】胴部の折りたたみ箇所が非常に少なく、組み立てが容易で折たたんで収納するのに手間がかからず、他の部材との連結部分も構造が単純で組み付けも簡単に行うことができる携帯型の組立式簡易トイレの提供を目的とするものである。【解決手段】胴部ｇａ２枚の折曲げ自在のプラスチック板からなり、その対向する辺に沿って設けた連結材をそれぞれ蝶番で連結して筒状に形成することが可能であり、また前記連結材の長さ方向の端部には、はめ込み用雄部が形成されており、前記底板は、その上面に前記胴部のはめ込み用雄部にはめ込むためのはめ込み用雌部が設置されており、前記便座部材は、前記便座を上板の端部に蝶番を介して折畳み自在に連設し、前記上板と便座との間で排泄物収納用の袋の上端を挟み込む構造であり、前記上板の底面には前記胴部のはめ込み用雄部にはめ込むためのはめ込み用雌部が設置されていることを特徴とする携帯型の組立式簡易トイレ。【選択図】図１
0003170522.tif 000002
【実用新案登録請求の範囲】
【請求項１】
上部及び下部が開口した胴部と、該胴部の下部に着脱自在に取り付けられた底板と、前記胴部の上部に着脱自在に取り付けられた上板および、該上板に開閉自在に取り付けられた便座を備えた便座部材と、前記胴部内に配置される排泄物収納用の袋とからなる組立式の簡易トイレであって、
前記胴部は、２枚の折曲げ自在のプラスチック板からなり、その対向する辺に沿って設けた連結材をそれぞれ蝶番で連結して筒状に形成することが可能であり、また前記連結材の長さ方向の端部には、はめ込み用雄部が形成されており、
前記底板は、その上面に前記胴部のはめ込み用雄部にはめ込むためのはめ込み用雌部が設置されており、
前記便座部材は、前記便座を上板の端部に蝶番を介して折畳み自在に連設し、前記上板と便座との間で排泄物収納用の袋の上端を挟み込む構造であり、前記上板の底面には前記胴部のはめ込み用雄部にはめ込むためのはめ込み用雌部が設置されていることを特徴とする携帯型の組立式簡易トイレ。
【請求項２】
前記底板および上板に設けたはめ込み用雌部は、前記胴部のはめ込み用雄部を収納する収納凹部と、前記胴部を収納するスリットとを有するようにしたことを特徴とする請求項１に記載の携帯型の組立式簡易トイレ。
【請求項３】
前記胴部は、適宜間隔で長さ方向の補強部材を設けられていることを特徴とする請求項１に記載の携帯型の組立式簡易トイレ。
【考案の詳細な説明】
【技術分野】
【０００１】
この考案は、携帯型の組立式簡易トイレに関するものであり、更に詳しくは、震災などの災害時やアウトドアでの生活などにおいて、簡単に組み立てて使用できるようにした携帯型の組立式簡易トイレに関するものである。
【背景技術】
【０００２】
従来の排泄物収納袋を取り付け可能な組立式簡易トイレとしては、次のようなものが知られている。
１）実用新案登録第３１２３２３６号公報（特許文献１参照）
上部及び下部が開口した胴部と、該胴部の下部に設けられる底板と、前記胴部の上部に設けられる便座部材と、前記胴部内に配置される排泄物収納用の袋とからなる組立式の簡易トイレであって、それぞれを蝶番を介して折曲げ自在に連設したことを特徴とする簡易トイレ。
２）特開平８−２２４１９０号公報（特許文献２参照）
折り畳み可能な枠体と、この枠体の四隅に着脱自在に取り付けられて該枠体を折り畳み状態から広げた状態に保持及び補強する補強部材と、排泄物を受ける袋体と、この袋体を前記枠体内に着脱自在に固定するとともに便座をも構成する固定部材とからなり、前記袋体が屎尿受け部となる簡易トイレ。
３）実用新案登録第３００５９７４号公報（特許文献３参照）
頂部の前方が舳先状に突出している舳先部２を有する６角形などをなす筒状体１と、舳先部２を挟むように切欠き部を有する帯状の環状体からなる、筒状体１に載せる便座３と、筒状体１の頂部と便座３間に開口部を挟む排泄物収納袋１１と、舳先部２と嵌合する切溝を有する蓋４、および筒状体１の下端付近の嵌合孔に突片を介して嵌合固定する、折り目を有する底板５とからなるダンボール紙製組立式簡易便器。
【０００３】
また、組立式簡易トイレとしては、次のようなものが知られている。
４）特開２０１１−３６６２５号公報（特許文献４参照）
５）特開２００６−１４９９６６号公報（特許文献５参照）
６）実用新案登録第３１１３２７０号公報（特許文献６参照）
７）実用新案登録第３０１６３２７号公報（特許文献７参照）
８）実開昭５９−７０５９９号公報（特許文献８参照）
【先行技術文献】
【特許文献】
【０００４】
【特許文献１】実用新案登録第３１２３２３６号公報
【特許文献２】特開平８−２２４１９０号公報
【特許文献３】実用新案登録第３００５９７４号公報
【特許文献４】特開２０１１−３６６２５号公報
【特許文献５】特開２００６−１４９９６６号公報
【特許文献６】実用新案登録第３１１３２７０号公報
【特許文献７】実用新案登録第３０１６３２７号公報
【特許文献８】実開昭５９−７０５９９号公報
【考案の概要】
【考案が解決しようとする課題】
【０００５】
しかしながら、これら従来例の組立式簡易トイレにおいては、胴部の折りたたみ箇所が何箇所もあって組み立てたり、あるいは折たたんで収納するのに手間がかかり、その他の部材との連結部分も構造が複雑で組み付けに手間がかかるという問題があった。
【０００６】
したがってこの考案は、胴部の折りたたみ箇所が非常に少なく、組み立てが容易で折たたんで収納するのに手間がかからず、しかもその他の部材との連結部分も構造が単純で組み付けも簡単に行うことができる携帯型の組立式簡易トイレの提供を目的とするものである。
【課題を解決するための手段】
【０００７】
すなわちこの考案の携帯型の組立式簡易トイレは、上部及び下部が開口した胴部と、該胴部の下部に着脱自在に取り付けられた底板と、前記胴部の上部に着脱自在に取り付けられた上板および、該上板に開閉自在に取り付けられた便座を備えた便座部材と、前記胴部内に配置される排泄物収納用の袋とからなる組立式の簡易トイレであって、
前記胴部は、２枚の折曲げ自在のプラスチック板からなり、その対向する辺に沿って設けた連結材をそれぞれ蝶番で連結して筒状に形成することが可能であり、また前記連結材の長さ方向の端部には、はめ込み用雄部が形成されており、
前記底板は、その上面に前記胴部のはめ込み用雄部にはめ込むためのはめ込み用雌部が設置されており、
前記便座部材は、前記便座を上板の端部に蝶番を介して折畳み自在に連設し、前記上板と便座との間で排泄物収納用の袋の上端を挟み込む構造であり、前記上板の底面には前記胴部のはめ込み用雄部にはめ込むためのはめ込み用雌部が設置されていることを特徴とするものである。
【０００８】
この考案の携帯型の組立式簡易トイレにおいて、前記底板および上板に設けたはめ込み用雌部は、前記胴部のはめ込み用雄部を収納する収納凹部と、前記胴部を収納するスリットとを有するようにしたことをも特徴とするものである。
【０００９】
この考案の携帯型の組立式簡易トイレにおいて、前記胴部は、適宜間隔で長さ方向の補強部材を設けられていることをも特徴とするものである。
【考案の効果】
【００１０】
前記請求項１に係る携帯型の組立式簡易トイレは、その胴部を２枚の折曲げ自在のプラスチック板で構成し、その対向する辺に沿って設けた連結材をそれぞれ蝶番で連結して筒状に形成することを可能としたものであり、前記連結材の長さ方向の端部に設けたはめ込み用雄部を前記底板および上板に設けたはめ込み用雌部にはめ込んで固定するようにしたので、胴部の折りたたみ箇所が非常に少なく、組み立てが容易で、折たたんで収納するのに手間がかからず、しかもその他の部材との連結部分も構造が単純で組み付けも簡単に行うことができる携帯型の組立式簡易トイレを提供することが可能となった。
【００１１】
前記請求項２に係る携帯型の組立式簡易トイレは、前記底板および上板に設けたはめ込み用雌部として、前記胴部のはめ込み用雄部を収納する収納凹部と、前記胴部を収納するスリットとを有する構造を採用したので、前記胴部をワンタッチでかつ確実に前記底板および上板に装着することができるようになるのである。
【００１２】
前記請求項２に係る携帯型の組立式簡易トイレは、前記胴部に適宜間隔で長さ方向の補強部材を設けてあるので、体重の重い人が使用しても、上下方向の強度にはなんら問題がない。
【図面の簡単な説明】
【００１３】
【図１】便座部材の斜視図である。
【図２】便座部材を裏側から見た斜視図である。
【図３】便座を開いた状態の便座部材の斜視図である。
【図４】胴部をたたんだ状態の斜視図である。
【図５】胴部を筒状に拡げた状態の斜視図である。
【図６】胴部を筒状に拡げた状態の平面図である。
【図７】（ａ）は胴部をたたんだ状態の側面図、（ｂ）はその平面図である。
【図８】底板の斜視図である。
【図９】（ａ）は底板の平面図、（ｂ）はその右側面図、（ｃ）はその正面図である。
【図１０】底板上に胴部を組み付ける過程を示す斜視図である。
【図１１】（ａ）は底板上に胴部を組み付ける過程の要部を示す斜視図、（ｂ）は組み付けた状態の要部を示す斜視図である。
【図１２】底板上に胴部を組み付けた状態を示す斜視図である。
【図１３】さらにその上に便座部材を組み付ける過程を示す斜視図である。
【図１４】組み付けた状態を示す斜視図である。
【図１５】排泄物収納用の袋を取り付ける前の便座を開いた状態の斜視図である。
【図１６】排泄物収納用の袋を取り付けた状態の斜視図である。
【考案を実施するための最良の形態】
【００１４】
次に、この考案の携帯型の組立式簡易トイレの実施の形態について図面を参照しながら説明する。
まず、図１３ないし図１６において、この実施例の携帯型の組立式簡易トイレ１１は、上部及び下部が開口した胴部１２と、該胴部１２の下部に着脱自在に取り付けられた底板１３と、前記胴部１２の上部に着脱自在に取り付けられた上板１５および、該上板１５に蝶番１７を介して開閉自在に取り付けられた便座１６を備えた便座部材１４と、前記胴部１２内に配置される排泄物収納用の袋１８とからなるものである。
【００１５】
前記便座部材１４は、図１ないし図３に示すように、前記便座１６を上板１５の端部に蝶番１７を介して折畳み自在に連設し、前記上板１５と便座１６との間で前記排泄物収納用の袋１８の上端を挟み込む構造となっているもちろん、前記便座１６および上板１５はそれぞれ中心が楕円形にくりぬいてある。
また、前記上板１５の底面には、図２に示すように、前記胴部１２のはめ込み用雄部２１ａにはめ込むためのはめ込み用雌部４１ａが設置されており、該はめ込み用雌部４１ａは前記底板１３のはめ込み用雌部３１ａとほぼ同様の収納凹部４１ｂとスリット４１ｃとで構成されている。
【００１６】
前記上部及び下部が開口した胴部１２は、図４に示すように、２枚の折曲げ自在の例えば塩ビ等のプラスチック板１２ａからなり、その対向する辺に沿って設けた連結材２１をそれぞれ蝶番２２で連結したものであり、図５および図６に示すように、その中間部分を外向きに変形させて筒状に形成することができるようにしたものである。なお、前記連結材２１の長さ方向の端部には、はめ込み用雄部２１ａが形成されている。
また前記胴部１２には、適宜間隔で長さ方向の補強部材２３が設けられており、体重の重い人が使用しても、上下方向の強度にはなんら問題がないようになっている。ちなみに、図示した例では、１６ニュートン（約１２０ｋｇ）の加重に耐えられることが考案者の実験で判明している。
【００１７】
図７（ａ），（ｂ）は前記胴部１２を折りたたんだ状態を示すものであり、前記中間部分の外向きの変形が解除されると自動的にプラスチック板１２ａは平板状となる。その際、前記補強部材２３がぶつかり合って平板になる障害とならないよう、前記補強部材２３のプラスチック板１２ａの板面への取付位置を相互にずらしてある。
【００１８】
前記底板１３は、図８および図９（ａ）〜（ｃ）に示すように、その上面に前記胴部１２のはめ込み用雄部２１ａにはめ込むためのはめ込み用雌部３１ａが設置されている。
そして、前記底板１３に設けたはめ込み用雌部３１ａは、前記胴部１２のはめ込み用雄部２１ａを収納する収納凹部３１ｂと、前記板状の胴部１２を収納するスリット３１ｃと有するよう構成されている。
【００１９】
この考案の携帯型の組立式簡易トイレの組み付けに際しては、先ず図１０、図１１（ａ），（ｂ）および図１２に示すように、前記胴部１２の補強部材２３の部分を左右から手で押して楕円形の筒状に変形させる。次いで、図１１（ａ），（ｂ）に示すように、変形した前記胴部１２を前記底板１３の上面のはめ込み用雌部３１ａにはめ込み用雄部２１ａをはめ込んで固定する。その際、はめ込み用雄部２１ａは前記収納凹部３１ｂに、前記胴部１２はスリット３１ｃにそれぞれ密着するようはめ込まれる。
【００２０】
次いで、図１３に示すように、前記胴部１２の上部に便座部材１４を保持し、前記上板１５の底面に設けたはめ込み用雌部４１ａに前記胴部１２のはめ込み用雄部２１ａをはめ込むことにより、図１４に示すように、前記胴部１２の上部に便座部材１４を装着する。
その際、前記底板１３および前記上板１５のはめ込み用雌部３１ａ，４１ａの収納凹部３１ｂ，４１ｂとスリット３１ｃ，４１ｃに、それぞれ前記胴部１２のはめ込み用雄部２１ａと胴部１２とがはめ込まれ、前記底板１３と前記胴部１２、および前記上板１５がいずれもワンタッチで、かつ確実に固定される。
【００２１】
この実施例の携帯型の組立式簡易トイレは、その胴部１２を２枚の折曲げ自在のプラスチック板１２ａで構成し、その対向する辺に沿って設けた連結材２１をそれぞれ蝶番２２で連結して筒状に形成することを可能としたものである。
また、前記連結材２１の長さ方向の端部に設けたはめ込み用雄部２１ａを前記底板１３および上板１５に設けたはめ込み用雌部３１ａ，４１ａにはめ込んで固定するようにしたので、前記胴部１２の折りたたみ箇所が非常に少なく、組み立てが容易で、折たたんで収納するのに手間がかからず、しかもその他の部材との連結部分も構造が単純で組み付けも極めて簡単に行うことができるのである。
【００２２】
実施に用便等でこの実施例の携帯型の組立式簡易トイレを使用するには、図１５に示すように、便座部材１４の便座１６を上板１５から持ち上げ、図１６に示すように前記上板１５のほぼ前面を覆うように排泄物収納用の袋１８の上端を取り付ける。
その上で便座１６を下ろして上板１５に重ね合わせ、排泄物収納用の袋１８の上端を便座１６と上板１５とで挟み付ければ使用準備は完了する。
【００２３】
実際の使用に際しては、排泄物収納用の袋１８内に乾燥したおがくずか籾殻を適量入れたり、または高吸水バット等を入れておくとよい。
また、大便に使用する場合には市販されている大便の固形剤等を使うことが望ましい。
【００２４】
携帯型の組立式簡易トイレを用便のために使用した後は、便座１６を持ち上げて排泄物収納用の袋１８を上板１５から取り外して、空気を抜いた上で排泄物収納用の袋１８の口を縛って処分すればよい。
もちろん、用済み後は次の人のために必ず排泄物収納用の袋１８を便座部材１４にセットしておくことが必要である。
なお、用便後に汚物をそのまま地中に埋める場合には、前記底板１３としてあらかじめ中心が楕円形にくりぬいたものを使用し、その下の地面に穴を掘った上、排泄物収納用の袋１８の底を切り開き、該排泄物収納用の袋１８の下端が底板１３より下になるように垂らせばよく、汚物の処理を簡単に行うことができる。
【産業上の利用可能性】
【００２５】
この考案の携帯型の組立式簡易トイレによれば、震災などの災害時やアウトドアでの生活などにおいてのみならず、介護所等の室内でも使用でき、さらに老人や要介護者等のために簡単に組み立てて使用することができる。
【符号の説明】
【００２６】
１１  携帯型の組立式簡易トイレ
１２  胴部
１２ａ  プラスチック板
１３  底板
１４  便座部材
１５  上板
１６  便座
１７  蝶番
１８  排泄物収納用の袋
２１  連結材
２１ａ  はめ込み用雄部
２２  蝶番
２３  補強部材
３１ａ  はめ込み用雌部
３１ｂ  収納凹部
３１ｃ  スリット
４１ａ  はめ込み用雌部
４１ｂ  収納凹部
４１ｃ  スリット
【図１】
0003170522.tif 000003
【図２】
0003170522.tif 000004
【図３】
0003170522.tif 000005
【図４】
0003170522.tif 000006
【図５】
0003170522.tif 000007
【図６】
0003170522.tif 000008
【図７】
0003170522.tif 000009
【図８】
0003170522.tif 000010
【図９】
0003170522.tif 000011
【図１０】
0003170522.tif 000012
【図１１】
0003170522.tif 000013
【図１２】
0003170522.tif 000014
【図１３】
0003170522.tif 000015
【図１４】
0003170522.tif 000016
【図１５】
0003170522.tif 000017
【図１６】
0003170522.tif 000018